(57)【要約】  外気調和機の制御装置であって、前記外気調和機は、ファンモジュールと、ファンモジュールに対応して設けられたファンモジュール放熱器とを含む。更に、外気調和機の制御方法が開示され、前記方法は、（Ｓ１）外気調和機の現在の作動モードを取得し、現在の作動モードが冷房モードまたは送風モードであるか否かを判断するステップと、（Ｓ２）現在の作動モードが冷房モードまたは送風モードであると、ファンモジュール放熱器に結露が発生したか否かをさらに判断するステップと、（Ｓ３）ファンモジュール放熱器に結露が発生した場合、ファンモジュール放熱器における結露を消去するように現在の作動モードに基づいて外気調和機の風速レベルまたは外気調和機の目標過熱度を調整するステップと、を含む。これにより、ファンモジュール放熱器における結露を消去する。
2020505576.tif 000002
【特許請求の範囲】
【請求項１】
ファンモジュールと、前記ファンモジュールに対応して設けられたファンモジュール放熱器とを含む外気調和機の制御方法であって、
前記外気調和機の現在の作動モードを取得し、前記現在の作動モードが冷房モードまたは送風モードであるか否かを判断するステップと、
前記現在の作動モードが前記冷房モードまたは前記送風モードである場合、前記ファンモジュール放熱器に結露が発生したか否かをさらに判断するステップと、
前記ファンモジュール放熱器に結露が発生した場合、前記ファンモジュール放熱器における結露を消去するように、前記現在の作動モードに基づいて前記外気調和機の風速レベルまたは前記外気調和機の目標過熱度を調整するステップと、を含む、
ことを特徴とする外気調和機の制御方法。
【請求項２】
前記ファンモジュール放熱器に結露が発生したか否かを判断するステップは、
現在の室内環境温度、現在の室内環境湿度および前記ファンモジュール放熱器の温度を取得するステップと、
前記現在の室内環境温度と前記現在の室内環境湿度に基づいて現在の室内露点温度を取得し、前記ファンモジュール放熱器の温度と前記現在の室内露点温度との温度差を計算するステップと、
前記温度差が第１所定時間に亘って継続する第１所定温度値より小さいか否かを判断するステップと、
前記温度差が前記第１所定時間に亘って継続する前記第１所定温度値より小さい場合、前記ファンモジュール放熱器に結露が発生したと判断するステップと、を含む、
ことを特徴とする請求項１に記載の外気調和機の制御方法。
【請求項３】
前記現在の作動モードに基づいて前記外気調和機の風速レベルまたは前記外気調和機の目標過熱度を調整するステップは、
前記現在の作動モードが前記冷房モードである場合、前記ファンモジュール放熱器の温度と前記現在の室内露点温度との温度差が前記第１所定時間に亘って継続する前記第１所定温度値以上であるか、または前記外気調和機の目標過熱度が最大目標過熱度になるまで、第２所定時間おきに前記外気調和機の目標過熱度を第１所定値だけ増加させることを含む、
ことを特徴とする請求項２に記載の外気調和機の制御方法。
【請求項４】
前記現在の作動モードに基づいて前記外気調和機の風速レベルまたは前記外気調和機の目標過熱度を調整するステップは、
前記現在の作動モードが前記送風モードである場合、前記ファンモジュール放熱器の温度と前記現在の室内露点温度との温度差が前記第１所定時間に亘って継続する前記第１所定温度値以上であるか、または前記外気調和機の風速レベルが最大風速レベルになるまで、第２所定時間おきに前記外気調和機の風速レベルを第１所定レベルだけ向上させることを含む、
ことを特徴とする請求項２に記載の外気調和機の制御方法。
【請求項５】
コンピュータプログラムが記憶されている非一時的なコンピュータ読み取り可能な記憶媒体であって、
当該プログラムがプロセッサによって実行される場合、請求項１〜４のいずれかに記載の外気調和機の制御方法が実現される、
ことを特徴とする非一時的なコンピュータ読み取り可能な記憶媒体。
【請求項６】
ファンモジュールと、前記ファンモジュールに対応して設けられたファンモジュール放熱器とを含む外気調和機の制御装置であって、
前記外気調和機の現在の作動モードを取得するための第１取得モジュールと、
前記現在の作動モードが冷房モードまたは送風モードであるか否かを判断し、前記現在の作動モードが前記冷房モードまたは前記送風モードである場合、前記ファンモジュール放熱器に結露が発生したか否かをさらに判断するための判断モジュールと、
前記判断モジュールに接続され、前記ファンモジュール放熱器に結露が発生した場合、前記ファンモジュール放熱器における結露を消去するように、前記現在の作動モードに基づいて前記外気調和機の風速レベルまたは前記外気調和機の目標過熱度を調整するための制御モジュールと、を含む、
ことを特徴とする外気調和機の制御装置。
【請求項７】
現在の室内環境温度、現在の室内環境湿度および前記ファンモジュール放熱器の温度を取得するための第２取得モジュールをさらに含み、
前記判断モジュールは、
前記現在の室内環境温度と前記現在の室内環境湿度に基づいて現在の室内露点温度を取得し、前記ファンモジュール放熱器の温度と前記現在の室内露点温度との温度差を計算し、前記温度差が第１所定時間に亘って継続する第１所定温度値より小さいか否かを判断し、前記温度差が前記第１所定時間に亘って継続する前記第１所定温度値より小さい場合、前記ファンモジュール放熱器に結露が発生したと判断する、
ことを特徴とする請求項６に記載の外気調和機の制御装置。
【請求項８】
前記制御モジュールは、
前記現在の作動モードに基づいて前記外気調和機の風速レベルまたは前記外気調和機の目標過熱度を調整する場合、
前記現在の作動モードが前記冷房モードである場合、前記ファンモジュール放熱器の温度と前記現在の室内露点温度との温度差が前記第１所定時間に亘って継続する前記第１所定温度値以上であるか、または前記外気調和機の目標過熱度が最大目標過熱度になるまで、第２所定時間おきに前記外気調和機の目標過熱度を第１所定値だけ増加させる、
ことを特徴とする請求項７に記載の外気調和機の制御装置。
【請求項９】
前記制御モジュールは、
前記現在の作動モードに基づいて前記外気調和機の風速レベルまたは前記外気調和機の目標過熱度を調整する場合に、
前記現在の作動モードが前記送風モードである場合、前記ファンモジュール放熱器の温度と前記現在の室内露点温度との温度差が前記第１所定時間に亘って継続する前記第１所定温度値以上であるか、または前記外気調和機の風速レベルが最大風速レベルになるまで、第２所定時間おきに前記外気調和機の風速レベルを第１所定レベルだけ向上させる、
ことを特徴とする請求項７に記載の外気調和機の制御装置。
【請求項１０】
請求項６〜９のいずれかに記載の外気調和機の制御装置を含む、
ことを特徴とする外気調和機。
【発明の詳細な説明】
【技術分野】
【０００１】
本発明は、空調機の技術分野に関し、特に、外気調和機の制御方法、非一時的なコンピュータ読み取り可能な記憶媒体、外気調和機の制御装置および当該制御装置を有する外気調和機に関する。
【背景技術】
【０００２】
わが国では、経済の快速な発展および人々の生活水準の向上につれて、空調機は、人々の日常生活でますます広く使用されている。健康や環境保護に対する人々の要望に基づき、より良質に換気できる外気調和機は、市場から注目されている。
【０００３】
しかし、独特な室外還気特性を持つ換気システムは、その構造、機能および特性がいずれも通常の室内機と大きく異なる。たとえば、外気調和機または高静圧など大容量の室内機にファンモジュールを備えるが、ほかの室内機にはそれを有しないため、ファンモジュールに結露するなど、このような大容量の室内機に特有な問題をもたらす。このような問題がいったん生じると、外気調和機の信頼性に大きく影響し、さらにユーザの体験に影響を与える。
【発明の概要】
【発明が解決しようとする課題】
【０００４】
本発明は、関連技術における技術的課題の１つを少なくともある程度で解決することを目的とする。そのために、本発明の第１の目的は、ファンモジュール放熱器に結露が発生した場合、ファンモジュール放熱器における結露を消去するように外気調和機の現在の作動モードに基づいて外気調和機の風速レベルまたは外気調和機の目標過熱度を調整する外気調和機の制御方法を提供することによって、外気調和機の確実な稼動を保証し、ユーザの満足度を効果的に向上することである。
【０００５】
本発明の第２の目的は、非一時的なコンピュータ読み取り可能な記憶媒体を提供する。
【０００６】
本発明の第３の目的は、外気調和機の制御装置を提供する。
【０００７】
本発明の第４の目的は、外気調和機を提供する。
【課題を解決するための手段】
【０００８】
上記の目的を達成するために、本発明の第１の側面の実施例は、ファンモジュールと、前記ファンモジュールに対応して設けられたファンモジュール放熱器とを含む外気調和機の制御方法を提供する。前記方法は、前記外気調和機の現在の作動モードを取得し、前記現在の作動モードが冷房モードまたは送風モードであるか否かを判断するステップと、前記現在の作動モードが前記冷房モードまたは前記送風モードであると、前記ファンモジュール放熱器に結露が発生したか否かをさらに判断するステップと、前記ファンモジュール放熱器に結露が発生した場合、前記ファンモジュール放熱器における結露を消去するように前記現在の作動モードに基づいて前記外気調和機の風速レベルまたは前記外気調和機の目標過熱度を調整するステップと、を含む。
【０００９】
本発明の実施例の外気調和機の制御方法において、まず外気調和機の現在の作動モードを取得し、現在の作動モードが冷房モードまたは送風モードであるか否かを判断し、そうであると、ファンモジュール放熱器に結露が発生したか否かをさらに判断し、ファンモジュール放熱器に結露が発生した場合、ファンモジュール放熱器における結露を消去するように現在の作動モードに基づいて外気調和機の風速レベルまたは外気調和機の目標過熱度を調整することによって、外気調和機の確実な稼動を保証し、ユーザの満足度を効果的に向上する。
【００１０】
本発明の一実施例によれば、前記の前記ファンモジュール放熱器に結露が発生したか否かを判断するステップは、現在の室内環境温度、現在の室内環境湿度および前記ファンモジュール放熱器の温度を取得するステップと、前記現在の室内環境温度と前記現在の室内環境湿度に基づいて現在の室内露点温度を取得し、前記ファンモジュール放熱器の温度と前記現在の室内露点温度との温度差を計算するステップと、前記温度差が第１所定時間に亘って継続する第１所定温度値より小さいかを判断するステップと、前記温度差が前記第１所定時間に亘って継続する前記第１所定温度値より小さい場合、前記ファンモジュール放熱器に結露が発生したと判断するステップと、を含む。
【００１１】
本発明の一実施例によれば、前記の前記現在の作動モードに基づいて前記外気調和機の風速レベルまたは前記外気調和機の目標過熱度を調整するステップは、前記現在の作動モードが前記冷房モードであると、前記ファンモジュール放熱器の温度と前記現在の室内露点温度との温度差が前記第１所定時間に亘って継続する前記第１所定温度値以上であるか、または前記外気調和機の目標過熱度が最大目標過熱度になるまで、第２所定時間おきに前記外気調和機の目標過熱度を第１所定値だけ増加させることを含む。
【００１２】
本発明の一実施例によれば、前記の前記現在の作動モードに基づいて前記外気調和機の風速レベルまたは前記外気調和機の目標過熱度を調整するステップは、前記現在の作動モードが前記送風モードであると、前記ファンモジュール放熱器の温度と前記現在の室内露点温度との温度差が前記第１所定時間に亘って継続する前記第１所定温度値以上であるか、または前記外気調和機の風速レベルが最大風速レベルになるまで、第２所定時間おきに前記外気調和機の風速レベルを第１所定レベルだけ向上させることを含む。
【００１３】
上記の目的を達成するために、本発明の第２の側面の実施例は、コンピュータプログラムが記憶されている非一時的なコンピュータ読み取り可能な記憶媒体を提供する。当該プログラムがプロセッサによって実行される場合、上記の外気調和機の制御方法が実現される。
【００１４】
本発明の実施例の非一時的なコンピュータ読み取り可能な記憶媒体は、上記の外気調和機の制御方法の実行によって、ファンモジュール放熱器に結露が発生した場合、ファンモジュール放熱器における結露を消去するように外気調和機の現在の作動モードに基づいて外気調和機の風速レベルまたは外気調和機の目標過熱度を調整することで、外気調和機の確実な稼動を保証し、ユーザの満足度を効果的に向上する。
【００１５】
上記の目的を達成するために、本発明の第３の側面の実施例は、ファンモジュールと、前記ファンモジュールに対応して設けられたファンモジュール放熱器とを含む外気調和機の制御装置を提供する。前記装置は、前記外気調和機の現在の作動モードを取得する第１取得モジュールと、前記現在の作動モードが冷房モードまたは送風モードであるか否かを判断し、前記現在の作動モードが前記冷房モードまたは前記送風モードであると、さらに前記ファンモジュール放熱器に結露が発生したか否かを判断するための判断モジュールと、前記判断モジュールに接続され、前記ファンモジュール放熱器に結露が発生した場合、前記ファンモジュール放熱器における結露を消去するように前記現在の作動モードに基づいて前記外気調和機の風速レベルまたは前記外気調和機の目標過熱度を調整する制御モジュールと、を含む。
【００１６】
本発明の実施例の外気調和機の制御装置は、第１取得モジュールにより外気調和機の現在の作動モードを取得し、判断モジュールによって、現在の作動モードが冷房モードまたは送風モードであるか否かを判断し、現在の作動モードが冷房モードまたは送風モードであると、ファンモジュール放熱器に結露が発生したか否かをさらに判断する。結露が発生した場合、ファンモジュール放熱器における結露を消去するように制御モジュールは、現在の作動モードに基づいて外気調和機の風速レベルまたは外気調和機の目標過熱度を調整することによって、外気調和機の確実な稼動を保証し、ユーザの満足度を効果的に向上する。
【００１７】
本発明の一実施例によれば、上記の外気調和機の制御装置は、現在の室内環境温度、現在の室内環境湿度および前記ファンモジュール放熱器の温度を取得するための第２取得モジュールをさらに含み、前記判断モジュールは、前記現在の室内環境温度と前記現在の室内環境湿度に基づいて現在の室内露点温度を取得し、前記ファンモジュール放熱器の温度と前記現在の室内露点温度との温度差を計算し、前記温度差が第１所定時間に亘って継続する第１所定温度値より小さいかを判断し、前記温度差が前記第１所定時間に亘って継続する前記第１所定温度値より小さい場合、前記ファンモジュール放熱器に結露が発生したと判断する。
【００１８】
本発明の一実施例によれば、前記制御モジュールは、前記現在の作動モードに基づいて前記外気調和機の風速レベルまたは前記外気調和機の目標過熱度を調整する場合、前記現在の作動モードが前記冷房モードであると、前記ファンモジュール放熱器の温度と前記現在の室内露点温度との温度差が前記第１所定時間に亘って継続する前記第１所定温度値以上であるか、または前記外気調和機の目標過熱度が最大目標過熱度になるまで、第２所定時間おきに前記外気調和機の目標過熱度を第１所定値だけ増加させる。
【００１９】
本発明の一実施例によれば、前記制御モジュールは、前記現在の作動モードに基づいて前記外気調和機の風速レベルまたは前記外気調和機の目標過熱度を調整する場合、前記現在の作動モードが前記送風モードであると、前記ファンモジュール放熱器の温度と前記現在の室内露点温度との温度差が前記第１所定時間に亘って継続する前記第１所定温度値以上であるか、または前記外気調和機の風速レベルが最大風速レベルになるまで、第２所定時間おきに前記外気調和機の風速レベルを第１所定レベルだけ向上させる。
【００２０】
上記の目的を達成するために、本発明の第４の側面は、上記の外気調和機の制御装置を含む外気調和機を提供する。
【発明の効果】
【００２１】
本発明の実施例の外気調和機は、上記の制御装置によって、ファンモジュール放熱器に結露が発生した場合、ファンモジュール放熱器における結露を消去するように外気調和機の現在の作動モードに基づいて外気調和機の風速レベルまたは外気調和機の目標過熱度を調整して、外気調和機の確実な稼動を保証し、ユーザの満足度を効果的に向上する。
【図面の簡単な説明】
【００２２】
【図１】本発明の実施例に係る外気調和機の制御方法のフローチャートである。
【図２】本発明の一実施例に係るセンサの設置位置模式図である。
【図３】本発明の一実施例に係る外気調和機の制御方法のフローチャートである。
【図４】本発明の一実施例に係る外気調和機の制御装置のブロック模式図である。
【図５】本発明の別の実施例に係る外気調和機の制御装置のブロック模式図である。
【発明を実施するための形態】
【００２３】
以下、本発明の実施例について詳細に説明し、前記実施例の例が図面に示されている。同一又は類似の符号は常に同一又は類似の要素を表す。以下に図面を参照ながら説明された実施例は、例示するものであり、本発明を解釈するためのものであり、本発明を限定するものであると理解してはいけない。
【００２４】
以下に、図面を参照しながら本発明の実施例の外気調和機の制御方法、非一時的なコンピュータ読み取り可能な記憶媒体、外気調和機の制御装置および当該制御装置を有する外気調和機を説明する。
【００２５】
本発明の実施例において、外気調和機は、外気調和機の電気制御箱に設けられたファンモジュールと、ファンモジュールに対応して設けられたファンモジュール放熱器とを含む。ファンモジュール放熱器は、一方の面が電気制御箱の中に設けられ、他方の面が外気調和機の送風側の箱体に露出する。ファンモジュールは、ファンモジュール放熱器に設けられ、ファンモジュール放熱器によって放熱する。
【００２６】
外気調和機が高湿度の室内環境条件で冷房運転すると、外気調和機の排気温度が低いため、ファンモジュールを冷却させ、同時に温度の低い排気は、ファンモジュールに密着されたファンモジュール放熱器に伝達される。ファンモジュール放熱器は、良好な熱伝導性により、自身の表面温度が大幅に低下し、表面温度が室内露点温度より低くなると結露し、電気制御箱に落ちたり流れ込んだりすると回路の短絡や素子の損害をもたらし、深刻な場合、火災などの事故に繋がる。したがって、ファンモジュール放熱器に結露の発生を判断すると、結露が引き続き発生して上記危険な状況を引き起こすことを回避し、さらに外気調和機の安全かつ確実に稼動できることを保証するために、対応な措置を取る必要がある。
【００２７】
図１は、本発明の実施例に係る外気調和機の制御方法のフローチャートである。図１に示すように、本発明の実施例の外気調和機の制御方法は、以下のステップＳ１〜Ｓ３を含む。
【００２８】
ステップＳ１において、外気調和機の現在の作動モードを取得し、現在の作動モードが冷房モードまたは送風モードであるか否かを判断する。
【００２９】
ステップＳ２において、現在の作動モードが冷房モードまたは送風モードであると、ファンモジュール放熱器に結露が発生したか否かをさらに判断する。
【００３０】
具体的に、上記分析によると、ファンモジュール放熱器は、表面温度が室内露点温度より低くなると結露する。したがって、本発明において、ファンモジュール放熱器の表面温度と室内露点温度に基づいて、ファンモジュール放熱器に結露する恐れがあるかを判断し、すなわちファンモジュール放熱器に結露したかを判断する。
【００３１】
本発明の一実施例によれば、ファンモジュール放熱器に結露が発生したか否かを判断するステップは、現在の室内環境温度、現在の室内環境湿度およびファンモジュール放熱器の温度を取得するステップと、現在の室内環境温度と現在の室内環境湿度に基づいて現在の室内露点温度を取得し、ファンモジュール放熱器の温度と現在の室内露点温度との温度差を計算するステップと、温度差が第１所定時間に亘って継続する第１所定温度値より小さいかを判断するステップと、温度差が第１所定時間に亘って継続する第１所定温度値より小さい場合、ファンモジュール放熱器に結露が発生したと判断するステップと、を含む。ここで、第１所定温度値と第１所定時間は、実際の状況に応じて決められる。
【００３２】
具体的に、図２に示すように、室内温度センサ、室内湿度センサによって、それぞれ、現在の室内環境温度Ｔ１、現在の室内環境湿度ＴＷ（または室内温度湿度センサによってＴ１とＴＷを取得する）を取得し、ファンモジュール放熱器に設けられた温度センサによってファンモジュール放熱器の温度Ｔｆ（すなわち表面温度）を取得する。それから、Ｔ１とＴＷに基づいて現在の室内露点温度Ｔｄを取得し、ＴｆとＴｄとの差値を計算し、Ｔｆ−Ｔｄについて判断する。第１所定時間Ｔに亘ってＴｆ−Ｔｄ＜第１所定温度値ΔＴになる場合、ファンモジュール放熱器の温度が現在の室内露点温度より大幅に小さいことを意味し、ファンモジュール放熱器に結露が発生する恐れがあると判断するが、そうでなければ、ファンモジュール放熱器に結露が発生しないと判断する。
【００３３】
ステップＳ３において、ファンモジュール放熱器に結露が発生した場合、ファンモジュール放熱器における結露を消去するように現在の作動モードに基づいて外気調和機の風速レベルまたは外気調和機の目標過熱度を調整する。
【００３４】
具体的に、ファンモジュール放熱器に結露が発生したと判断した場合、ファンモジュール放熱器の温度を向上することによってファンモジュール放熱器における結露を消去することができる。外気調和機の作動モードが異なるため、ファンモジュール放熱器の温度を向上する方式も異なる。
【００３５】
たとえば、外気調和機の現在の作動モードが送風モードであると、圧縮機が稼動せず、この場合、外気調和機のファンの回転数を調整することによってファンモジュール放熱器の温度を向上することができる。外気調和機の現在の作動モードが冷房モードであると、圧縮機が稼動するが、この場合、室内の冷却能力の変更によってファンモジュール放熱器の温度を向上することができる。冷房運転において、外気調和機の蒸発器の目標過熱度に基づいて、外気調和機に流れ込む冷媒の流量を制御するため、蒸発器の目標過熱度の変更によって、ファンモジュール放熱器の温度を向上することができる。
【００３６】
以下、まず、外気調和機の現在の作動モードが送風モードである場合、外気調和機の風速レベル（すなわち外気調和機のファンの風速レベル）の調整によってファンモジュール放熱器における結露を消去することを紹介する。
【００３７】
本発明の一実施例において、現在の作動モードに基づいて外気調和機の風速レベルまたは外気調和機の目標過熱度を調整するステップは、現在の作動モードが送風モードであると、ファンモジュール放熱器の温度と現在の室内露点温度との温度差が第１所定時間に亘って継続する第１所定温度値以上であるか、または外気調和機の風速レベルが最大風速レベルになるまで、第２所定時間おきに外気調和機の風速レベルを第１所定レベルだけ向上させることを含む。ここで、第２所定時間および第１所定レベルは、実際の状況に応じて決められる。
【００３８】
具体的に、外気調和機の現在の作動モードが送風モードであると、ファンモジュール放熱器に結露が発生した場合、外気調和機の風速レベルを向上することによって、室内露点温度に近づきまたはそれより高くなるようにファンモジュール放熱器の温度を高め、ファンモジュール放熱器における結露水を消去する。たとえば、第１所定時間Ｔに亘ってＴｆ−Ｔｄ≧ΔＴになり、または外気調和機の風速レベルが最大風速レベル（最大風速レベルはファンの規格によって決められる）になるまで、第２所定時間おきに外気調和機の風速レベルを第１所定レベル（たとえば１つのレベル）の分で高めてから、外気調和機の風速レベルの調整を停止し、現在の風速レベルで稼動するように外気調和機のファンを制御する。
【００３９】
以下、外気調和機の現在の作動モードが冷房モードである場合、外気調和機の目標過熱度の調整によってファンモジュール放熱器における結露を消去することを紹介する。
【００４０】
本発明の一実施例において、現在の作動モードに基づいて外気調和機の風速レベルまたは外気調和機の目標過熱度を調整するステップは、現在の作動モードが冷房モードであると、ファンモジュール放熱器の温度と現在の室内露点温度との温度差が第１所定時間に亘って継続する第１所定温度値以上であるか、または外気調和機の目標過熱度が目標過熱度になるまで、第２所定時間おきに外気調和機の目標過熱度を第１所定値だけ増加させることを含む。ここで、第１所定値は、実際の状況に応じて決められる。
【００４１】
具体的に、外気調和機の現在の作動モードが冷房モードであると、ファンモジュール放熱器に結露が発生したのであれば、蒸発器の目標過熱度を向上することによってファンモジュール放熱器の温度を高め、ファンモジュール放熱器における結露水を消去する。たとえば、第１所定時間Ｔに亘ってＴｆ−Ｔｄ≧ΔＴになり、または蒸発器の過熱度が最大目標過熱度（外気調和機の正常稼動に許容される最大目標過熱度）になるまで、第２所定時間おきに蒸発器の目標過熱度を第１所定値（たとえば１℃）の分で高めてから、蒸発器の目標過熱度の調整を停止し、現在の目標過熱度で稼動するように外気調和機を制御する。
【００４２】
ここで、蒸発器の目標過熱度は、出荷時のデフォルトの目標過熱度、外気調和機の冷房運転中に室外機または集中コントローラなどから送信される目標過熱度、または、取得した蒸発器の出口温度と出口圧力に対応する飽和温度に基づいて算出した目標過熱度であるが、ここで具体的に限定しない。
【００４３】
図３は、本発明の一実施例に係る外気調和機の制御方法のフローチャートである。図３に示すように、本発明の実施例の外気調和機の制御方法は、以下のステップを含む。
Ｓ１０１において、外気調和機が正常に作動する。
Ｓ１０２において、外気調和機の現在の作動モードが冷房モードまたは送風モードであるか否かを判断する。そうである場合、ステップＳ１０３を実行するが、そうでなければ、ステップＳ１０１に戻る。
Ｓ１０３において、現在の室内環境温度Ｔ１、現在の室内環境湿度ＴＷおよびファンモジュール放熱器の温度Ｔｆをリアルタイムに取得する。
Ｓ１０４において、Ｔ１とＴＷに基づいて現在の室内露点温度Ｔｄを取得する。
Ｓ１０５において、Ｔｆ−Ｔｄが第１所定時間Ｔに亘って継続する第１所定値ΔＴより小さいかを判断する。そうである場合、ステップＳ１０６を実行するが、そうでなければ、ステップＳ１０１に戻る。
Ｓ１０６において、現在の作動モードが冷房モードであるか否かを判断する。そうである場合、ステップＳ１０７を実行するが、そうでなければ、ステップＳ１０９を実行する。
Ｓ１０７において、第２所定時間ｔ２おきに、外気調和機の目標過熱度ＳＨＳは、第１所定値（たとえば１℃）の分で増える。
Ｓ１０８において、Ｔｆ−ＴｄがＴに亘ってΔＴ以上であるか、またはＳＨＳ＝最大目標過熱度ＳＨＳｍａｘであるかを判断する。そうである場合、ステップＳ１１１を実行するが、そうでなければ、ステップＳ１０７に戻る。
Ｓ１０９において、時間ｔ２おきに、外気調和機の風速レベルは、第１所定レベル（たとえば１つのレベル）の分で増える。
Ｓ１１０において、Ｔｆ−ＴｄがＴに亘ってΔＴ以上であるか、またはＦＡＮ＝最大風速レベルＦＡＮｍａｘであるかを判断する。そうである場合、ステップＳ１１１を実行するが、そうでなければ、ステップＳ１０９に戻る。
Ｓ１１１において、現在の状態を維持する。
【００４４】
特に、外気調和機は、冷房モードで稼動する場合、ファンがオン状態であれば、蒸発器の目標過熱度と外気調和機のファンの風速レベルを調整することによってファンモジュール放熱器における結露を消去することができる。たとえば、まずファンの風速レベルを調整してから蒸発器の目標過熱度を調整するが、ここで具体的に記載しない。
【００４５】
以上の記載をまとめると、本発明の実施例の外気調和機の制御方法によれば、まず外気調和機の現在の作動モードを取得し、現在の作動モードが冷房モードまたは送風モードであるか否かを判断し、そうであると、ファンモジュール放熱器に結露が発生したか否かをさらに判断し、ファンモジュール放熱器に結露が発生した場合、ファンモジュール放熱器における結露を消去するように現在の作動モードに基づいて外気調和機の風速レベルまたは外気調和機の目標過熱度を調整することによって、外気調和機の確実な稼動を保証し、ユーザの満足度を効果的に向上する。
【００４６】
図４は、本発明の一実施例に係る外気調和機の制御装置のブロック図である。本発明の実施例において、外気調和機は、ファンモジュールと、ファンモジュールに対応して設けられたファンモジュール放熱器とを含む。
【００４７】
図４に示すように、本発明の実施例の外気調和機の制御装置は、外気調和機の現在の作動モードを取得する第１取得モジュール１０と、現在の作動モードが冷房モードまたは送風モードであるか否かを判断し、現在の作動モードが冷房モードまたは送風モードであると、さらにファンモジュール放熱器に結露が発生したか否かを判断するための判断モジュール２０と、判断モジュール２０に接続され、ファンモジュール放熱器に結露が発生した場合、ファンモジュール放熱器における結露を消去するように現在の作動モードに基づいて外気調和機の風速レベルまたは外気調和機の目標過熱度を調整する制御モジュール３０と、を含む。
【００４８】
本発明の一実施例において、図５に示すように、上記の外気調和機の制御装置は、現在の室内環境温度、現在の室内環境湿度およびファンモジュール放熱器の温度を取得するための第２取得モジュール４０をさらに含み、判断モジュール２０は、現在の室内環境温度と現在の室内環境湿度に基づいて現在の室内露点温度を取得し、ファンモジュール放熱器の温度と現在の室内露点温度との温度差を計算し、温度差が第１所定時間に亘って継続する第１所定温度値より小さいかを判断し、温度差が第１所定時間に亘って継続する第１所定温度値より小さい場合、ファンモジュール放熱器に結露が発生したと判断する。
【００４９】
本発明の一実施例において、制御モジュール３０は、現在の作動モードに基づいて外気調和機の風速レベルまたは外気調和機の目標過熱度を調整する場合、現在の作動モードが冷房モードであると、ファンモジュール放熱器の温度と現在の室内露点温度との温度差が第１所定時間に亘って継続する第１所定温度値以上であるか、または外気調和機の目標過熱度が最大目標過熱度になるまで、第２所定時間おきに外気調和機の目標過熱度を第１所定値だけ増加させる。
【００５０】
本発明の一実施例において、制御モジュール３０は、現在の作動モードに基づいて外気調和機の風速レベルまたは外気調和機の目標過熱度を調整する場合、現在の作動モードが送風モードであると、ファンモジュール放熱器の温度と現在の室内露点温度との温度差が第１所定時間に亘って継続する第１所定温度値以上であるか、または外気調和機の風速レベルが最大風速レベルになるまで、第２所定時間おきに外気調和機の風速レベルを第１所定レベルだけ向上させる。
【００５１】
なお、本発明の実施例の外気調和機の制御装置に関する開示されていない部分は、本発明の実施例の外気調和機の制御方法に開示されている細部を参照されたい。ここでは詳しく記載しない。
【００５２】
本発明の実施例の外気調和機の冷風防止制御装置は、第１取得モジュールで外気調和機の現在の作動モードを取得し、判断モジュールによって、現在の作動モードが冷房モードまたは送風モードであるか否かを判断し、現在の作動モードが冷房モードまたは送風モードであると、ファンモジュール放熱器に結露が発生したか否かをさらに判断する。結露が発生した場合、ファンモジュール放熱器における結露を消去するように制御モジュールは、現在の作動モードに基づいて外気調和機の風速レベルまたは外気調和機の目標過熱度を調整することによって、外気調和機の確実な稼動を保証し、ユーザの満足度を効果的に向上する。
【００５３】
また、本発明の実施例は、コンピュータプログラムが記憶されている非一時的なコンピュータ読み取り可能な記憶媒体をさらに提供する。当該プログラムがプロセッサによって実行される場合、上記の外気調和機の制御方法が実現される。
【００５４】
本発明の実施例の非一時的なコンピュータ読み取り可能な記憶媒体は、上記の外気調和機の制御方法の実行によって、ファンモジュール放熱器に結露が発生した場合、ファンモジュール放熱器における結露を消去するように現在の作動モードに基づいて外気調和機の風速レベルまたは外気調和機の目標過熱度を調整することにより、外気調和機の確実な稼動を保証し、ユーザの満足度を効果的に向上する。
【００５５】
また、本発明の実施例は、上記の外気調和機の制御装置を含む外気調和機をさらに提供する。
【００５６】
本発明の実施例の外気調和機は、上記の制御装置によって、ファンモジュール放熱器に結露が発生した場合、ファンモジュール放熱器における結露を消去するように外気調和機の現在の作動モードに基づいて外気調和機の風速レベルまたは外気調和機の目標過熱度を調整して、外気調和機の確実な稼動を保証し、ユーザの満足度を効果的に向上する。
【００５７】
なお、本発明の各部分は、ハードウェア、ソフトウェア、ファームウェア、又はこれらの組み合わせによって実現することができる。上記実施形態において、複数のステップ又は方法は、メモリに記憶された且つ適切な命令実行システムによって実行されるソフトウェア又はファームウェアによって実現することができる。例えば、ハードウェアで実現される場合に、もう１つの実施形態と同様に、本分野において周知である、データ信号に対してロジック機能を実現するためのロジックゲート回路を備える離散ロジック回路、適切な組み合わせロジックゲート回路を備える特定用途向け集積回路、プログラマブルゲートアレイ（ＰＧＡ）、フィールドプログラマブルゲートアレイ（ＦＰＧＡ）などの当分野の周知技術のうちいずれか１つ又はこれらの組み合わせによって実現することができる。
【００５８】
本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」、「軸方向」、「径方向」、「周方向」などの用語が示す方位又は位置関係は、図面に示す方位又は位置関係に基づき、本発明を便利にまたは簡単に説明するために使用されるものであり、指定された装置又は部品が特定の方位にあり、特定の方位において構造され操作されると指示又は暗示するものではないので、本発明に対する限定と理解してはいけない。
【００５９】
なお、「第１」、「第２」の用語は目的を説明するためだけに用いられるものであり、比較的な重要性を指示又は暗示するか、或いは示された技術的特徴の数を黙示的に指示すると理解してはならない。そこで、「第１」、「第２」が限定されている特徴は一つ又はより多くの前記特徴を含むことを明示又は暗示するものである。本発明の説明において、明確且つ具体的な限定がない限り、「複数」とは、二つ又は二つ以上のことを意味する。
【００６０】
本発明の説明において、明確な規定と限定がない限り、「取り付け」、「つながる」、「接続」、「固定」などの用語の意味は広く理解されるべきである。例えば、固定接続や、着脱可能な接続や、あるいは一体的な接続でも可能である。机械的な接続や、電気的な接続も可能である。直接接続することや、中間媒体を介して間接接続することや、二つの部品の内部が連通することや、あるいは二つの部品の間に相互の作用関係があることも可能である。当業者にとって、具体的な場合によって上記用語の本発明においての具体的な意味を理解することができる。
【００６１】
本発明において、明確な規定と限定がない限り、第１特徴が第２特徴の「上」又は「下」にあることは、第１特徴と第２特徴とが直接的に接触することを含んでも良いし、第１特徴と第２特徴とがそれらの間の別の特徴を介して接触することを含んでもよい。また、第１特徴が第２特徴の「上」、「上方」又は「上面」にあることは、第１特徴が第２特徴の真上及び斜め上にあることを含むか、或いは、単に第１特徴の水平高さが第２特徴より高いことを表す。第１特徴が第２特徴の「下」、「下方」又は「下面」にあることは、第１特徴が第２特徴の真下及び斜め下にあることを含むか、或いは、単に第１特徴の水平高さが第２特徴より低いことを表す。
【００６２】
本発明の説明において、「一実施例」、「一部の実施例」、「例」、「具体的な例」、或いは「一部の例」などの用語を参考した説明とは、当該実施例或いは例に合わせて説明された具体的な特徴、構成、材料或いは特性が、本願の少なくとも１つの実施例或いは例に含まれることである。本明細書において、上記用語に対する例示的な説明は、必ずしも同じ実施例或いは例を示すものではない。また、説明された具体的な特徴、構成、材料或いは特性は、いずれか１つ或いは複数の実施例又は例において適切に結合することができる。なお、相互に矛盾しない限り、当業者は、本明細書において説明された異なる実施例又は例、及び異なる実施例又は例の特徴を結合するまたは組み合わせることができる。
【００６３】
以上、本発明の実施例を示して説明したが、上記実施例は例示するものであって、本発明を制限するためのものであると理解してはならない。普通の当業者であれば、本発明の範囲内で上記実施例に対して変更、修正、置換、変形を行うことができる。
【符号の説明】
【００６４】
１０  第１取得モジュール
２０  判断モジュール
３０  制御モジュール
４０  第２取得モジュール
【図１】
2020505576.tif 000003
【図２】
2020505576.tif 000004
【図３】
2020505576.tif 000005
【図４】
2020505576.tif 000006
【図５】
2020505576.tif 000007
【国際調査報告】
2020505576.tif 000008
2020505576.tif 000009
2020505576.tif 000010
2020505576.tif 000011
2020505576.tif 000012
2020505576.tif 000013